(57)【特許請求の範囲】
【請求項１】
撮像素子を介して取得される画像を記録媒体に記録可能なデジタルカメラにおいて、該デジタルカメラは、
撮影者の意図に基づいて撮影時における画像の重要度を撮影前に予め設定可能な重要度設定手段と、
前記重要度設定手段で設定された撮影時における重要度を示す情報を画像記録時にその画像に関連付けて記録する記録手段と、
前記記録媒体に新規画像の記録に十分なメモリ容量が無いときは、新規撮影画像よりも重要度の低い画像を自動的に消去して、重要度がより高い新規画像の記録を実行する制御を行う制御手段と、
を備えたことを特徴とするデジタルカメラ。
【請求項２】
前記重要度設定手段は、ユーザ操作によって重要度の選択が可能な手段であることを特徴とする請求項１に記載のデジタルカメラ。
【請求項３】
前記重要度を示す情報を利用して重要度順にコマ番号を付与するコマ番号自動修正手段を備えたことを特徴とする請求項１又は２に記載のデジタルカメラ。
【発明の詳細な説明】
【０００１】
【発明の属する技術分野】
本発明は、デジタルカメラに適用される画像の記録及び消去処理技術に関する。
【０００２】
【従来の技術】
特開２０００−２４４７９０号、特開２０００−１２５１８５号、特開平１１−１８７３４７号、及び特開平１０−７９９１４号の各公報に開示されているように、従来、デジタルカメラの多くは、液晶モニタなどの画像表示装置を具備している。かかるモニタ付きカメラでは、メモリカード等の記録媒体に記録した画像のうち不要なコマを消去する際に、ユーザはモニタ画面上で再生画像を見ながら消去対象のコマを選択することができる。
【０００３】
【発明が解決しようとする課題】
しかしながら、近時、高機能のデジタルカメラの開発が進む一方で、画像再生機能を省略するなど機能を限定した低価格なデジタルカメラが市場に投入され、新たな商品分野を形成しつつある。こうした画像再生機能の無いカメラにおいては、記録した画像を消去する手段を有していないものが一般的であった。
【０００４】
また、画像再生機能を有しているカメラにおいても、記録媒体の空き容量が不足した状態で咄嗟のシャッターチャンスが発生した場合、既に記録してある画像の中から重要性の低い画像を消去したいと思っても、モニタ上で再生画像を確認して消去対象を探さなければならず、操作が煩わしい上に、シャッターチャンスを逃すこともある。
【０００５】
本発明はこのような事情に鑑みてなされたもので、画像再生機能の無い安価なカメラでも記録容量を有効に活用でき、また、画像再生機能付きカメラにおいても急な撮影に対応でき、重要な画像を優先的に記録できるデジタルカメラを提供することを目的とする。
【０００６】
【課題を解決するための手段】
本発明は前記目的を達成するために、撮像素子を介して取得される画像を記録媒体に記録可能なデジタルカメラにおいて、該デジタルカメラは、撮影者の意図に基づいて撮影時における画像の重要度を撮影前に予め設定可能な重要度設定手段と、前記重要度設定手段で設定された撮影時における重要度を示す情報を画像記録時にその画像に関連付けて記録する記録手段と、前記記録媒体に新規画像の記録に十分なメモリ容量が無いときは、新規撮影画像よりも重要度の低い画像を自動的に消去して、重要度がより高い新規画像の記録を実行する制御を行う制御手段と、を備えたことを特徴とする。
【０００７】
本発明によれば、撮影動作によって記録媒体に記録される画像について、それぞれ重要度を設定し、画像記録時に画像と同時に重要度を示す情報を記録する。画像に関連付けられた重要度の情報を利用することで、重要度の低い画像を優先的に消去対象の候補として抽出したり、重要度順に画像を配列させるなどの処理が容易になる。
【０００８】
本発明の一態様として、前記重要度設定手段は、ユーザ操作によって重要度の選択が可能な手段であることを特徴とする態様がある。撮影前にユーザが重要度設定手段を操作して撮影画像の重要度を任意に選択することができる。
【００１２】
記録媒体の空き容量が不足しているときでも、重要度を高く設定して撮影を行うと、既に記録されている画像の中から重要度の低い画像が消去され、新しい画像が書き込まれる。これにより、咄嗟のシャッターチャンスにも対応できる上、画像再生機能の無い安価なカメラでも記録容量を有効に活用できる。
【００１３】
重要度を示す情報の他の利用形態として、上記構成のデジタルカメラにおいて、前記重要度を示す情報を利用して重要度順にコマ番号を付与するコマ番号自動修正手段を備える態様がある。これにより、重要度順にファイルを並べ替えるなどのファイル管理が容易となり、重要な画像から先に閲覧したり、転送処理を行うなどの処理が可能となる。
【００１６】
【発明の実施の形態】
以下添付図面に従って本発明に係るデジタルカメラの好ましい実施の形態について説明する。
【００１７】
図１は本発明の実施形態に係るデジタルカメラの斜視図である。このカメラ１０は、撮影レンズ１２及びシャッターボタン１４を備えるとともに、画像の重要度を選択するスイッチ（以下、重要度選択スイッチという。）１６を備えている。重要度選択スイッチ１６は、「重要」、「通常」、「メモ」の三段階に重要度を指定可能なスライド式スイッチで構成されており、ユーザは、該スイッチ１６を操作することにより重要度を示すランクを自由に設定できる。
【００１８】
通常の撮影では、重要度を「通常」に設定して撮影を行う。重要度の低い対象を撮影する場合には「メモ」を選択する。そして、特に重要な対象を撮影する場合には「重要」を選択して撮影を行う。本例では、重要度を三段階に設定してあるが、重要度のランク分けは二段階以上、更に複数段階設定できるように構成されていてもよい。
【００１９】
重要度は画像を識別するための情報として付加されるものであり、重要度の高低は、画像処理の内容（画素数や圧縮率など）に影響を与えるものではない。また、カメラ１０は、液晶モニタなどの画像表示手段を具備しておらず、カメラ単独では撮影した画像を再生する機能を有していない。
【００２０】
図２は本例のデジタルカメラのブロック図である。撮影レンズ１２の後方には撮像素子としてのＣＣＤイメージセンサ（以下、ＣＣＤという。）２０が配置されている。ＣＣＤ２０の受光面には、フォトセンサが平面的に配列されており、撮影レンズ１２を介してＣＣＤ２０の受光面に結像された被写体像は、各フォトセンサによって入射光量に応じた量の信号電荷に変換される。なお、ＣＣＤ２０は、シャッターゲートパルスのタイミングによって各フォトセンサの電荷蓄積時間（シャッタースピード）を制御する、いわゆる電子シャッター機能を有している。
【００２１】
各フォトセンサに蓄積された信号電荷は、ＣＣＤドライバ２２から与えられるパルスに基づいて信号電荷に応じた電圧信号（画像信号）として順次読み出され、アナログ信号処理部２４に送られる。アナログ信号処理部２４は、サンプリングホールド回路、色分離回路、ゲイン調整回路等の信号処理回路を含み、このアナログ信号処理部２４において、相関二重サンプリング（ＣＤＳ）処理並びにＲ，Ｇ，Ｂの各色信号に色分離処理され、各色信号の信号レベルの調整（プリホワイトバランス処理）が行われる。
【００２２】
アナログ信号処理部２４から出力された信号は、Ａ／Ｄ変換器２６によりデジタル信号に変換された後、バス２８を介してデジタル信号処理部３０に送られる。ＣＣＤドライバ２２、アナログ信号処理部２４及びＡ／Ｄ変換器２６には、タイミングジェネレータ（ＴＧ）３２からタイミング信号が与えられ、このタイミング信号によって各回路の同期がとられている。
【００２３】
デジタル信号処理部３０は、輝度・色差信号生成回路、ガンマ補正回路、シャープネス補正回路、コントラスト補正回路、ホワイトバランス補正回路等を含む画像処理手段として機能する。シャッターボタン１４の押下に応動して取り込まれた画像データは、デジタル信号処理部３０において輝度信号（Ｙ信号）及び色差信号（Ｃr Ｃb 信号）に変換されるとともに、ガンマ補正等の所定の処理が施された後、メモリ３４に格納される。メモリ３４に格納されたデータは、圧縮処理部３６において、ＪＰＥＧ（Joint Photographic Experts Group）形式その他の所定の形式に従って圧縮処理され、カードインターフェース３８を介してメモリカード４０に記録される。
【００２４】
本例のカメラ１０では、画像データを保存する手段として、例えばスマートメディア（Solid-State Floppy Disk Card）が適用される。記録媒体の形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組合せによる方式に従って読み書き可能な種々の媒体を用いることができる。使用される媒体に応じた信号処理手段とインターフェースが適用される。また、画像を保存する手段は、カメラ１０本体に着脱可能なリムーバブルメディアに限らず、カメラ１０に内蔵された記録媒体（内部メモリ）であってもよい。内部メモリに画像を保存する態様の場合、データをパソコン等の外部機器に転送するための、通信用インターフェースが設けられる。
【００２５】
制御部４２はＣＰＵ及びその周辺回路を含むブロックであり、カメラ１０の動作制御に必要なプログラムが組み込まれている。制御部４２は、シャッターボタン１４及び重要度選択スイッチ１６その他の操作部から受入する入力信号に基づき、対応する回路の動作を制御し、オートフォーカス（ＡＦ）制御、自動露出（ＡＥ）制御及び記録処理の制御など撮影動作の制御を行う。
【００２６】
すなわち、制御部４２は、シャッターボタン１４の半押しに応動して取り込まれた画像データから焦点評価演算やＡＥ演算などの各種演算を行い、その演算結果に基づいてレンズ駆動部（不図示）を制御して撮影レンズ１２を合焦位置に移動させる一方、図示せぬ絞り機構を制御するとともに、ＣＣＤ２０の電荷蓄積時間を制御する。なお、被写界深度の深い撮影光学系を採用することによってＡＦ機能を省略する態様も可能である。また、制御部４２は、メモリカード４０の記録可能容量（メモリ容量）を検出して、記録処理を管理する。
【００２７】
次に、上記の如く構成されたカメラ１０の動作について説明する。図３は、カメラ１０の制御手順を示すフローチャートである。カメラ１０が起動し（ステップＳ１１０）、シャッターボタン１４の押下によってレリーズ信号がＯＮすると（ステップＳ１１２）、画像の取り込みを開始する。次いで、重要度選択スイッチ１６の状態を判定する処理を行う（ステップＳ１１４）。
【００２８】
重要度選択スイッチ１６によって「通常」が選択されている場合には、ステップＳ１１６に進み、重要度を示す値として「２」を設定し、この値を当該撮影に係る画像データに関連付ける。ステップＳ１１４において「メモ」が選択されている場合には、ステップＳ１１８に進み、重要度を示す値として「１」を設定し、この値を当該撮影に係る画像データに関連付ける。もし、ステップＳ１１４において「重要」が選択されている場合は、ステップＳ１２０に進み、重要度を示す値として「３」を設定し、この値を当該撮影に係る画像データに関連付ける。
【００２９】
ステップＳ１１６、Ｓ１１８又はＳ１２０の処理の後は、ステップＳ１４０に進む。ステップＳ１４０では、メモリカード４０のメモリ容量の判定を行う。撮影した画像を記録するに足るメモリ容量がある場合は、当該画像をメモリカード４０に記録する処理を実行する（ステップＳ１４２）。このとき、画像とともに重要度を示す値も記録される。
【００３０】
ステップＳ１４０においてメモリ容量が不足しているとの判定を得た場合には、ステップＳ１４４に進む。ステップＳ１４４では、メモリカード４０内に保存されている画像のうち重要度の値が撮影に係る画像（記録しようとしている画像）より低いものが存在するか否かの判定を行う。メモリカード４０内に重要度「２」又は「１」の画像が少なくとも１つ記録されているところへ重要度「３」の画像を取り込んだ場合、又は、メモリカード４０内に重要度「１」の画像のみが記録されているところへ重要度「２」又は「３」の画像を取り込んだ場合にはステップＳ１４４においてＹＥＳ判定となる。
【００３１】
ステップＳ１４４でＹＥＳ判定を得ると、ステップＳ１５０に進み、重要度の低い画像を１コマ消去してステップＳ１４０に戻る。ステップＳ１５０のコマ消去によって新規画像の記録に十分な容量が確保されると、ステップＳ１４０で「メモリ容量あり（ＯＫ）」の判定を得て、画像が記録される（ステップＳ１４２）。
【００３２】
ステップＳ１５０において、１コマの画像を消去してもなお新規画像の記録に十分な容量が確保されない場合には、ステップＳ１４０の判定で「メモリ容量不足（ＮＧ）」となり、ステップＳ１４４の判定を経て更に別のコマを消去する。
【００３３】
ステップＳ１４４において、消去対象の画像が存在せず、ＮＯ判定となった場合には、新規画像を記録することができないため、ステップＳ１５２に進む。ステップＳ１５２では、メモリカード４０（又は内部メモリ）に空き容量が無い旨の表示を行い、ユーザにカード交換又は画像データの転送を促す。空き容量無しの表示を行う手段としては、例えば、カメラ１０に発光ダイオード（ＬＥＤ）等の表示ランプを設ける態様の他、文字や記号を表示可能な小型の液晶表示器（文字液晶）を設ける態様、又はこれらを組合せた態様がある。
【００３４】
本実施形態に係るカメラ１０によれば、メモリカード４０内に重要度の値「１」又は「２」の画像が記録されている状態でカードの空き容量が無くなっても、重要度選択スイッチ１６で「重要」を選択してからシャッターボタン１４を押下すると、重要度「１」又は「２」の画像データが自動的に消去され、重要度「３」の新規画像が記録される。重要度「１」と「２」の画像がカード上に混在している場合には、重要度の低いものが優先的に消去の対象となる。
【００３５】
重要度に応じて、既に記録されている画像を消去し、新しい画像を書き込めるようにしたので、再生機能の無い安価なカメラ１０でもメモリカード４０の残量を有効に使用することができる。これにより、急なシャッターチャンスにも対応することができる。
【００３６】
上記説明では、画像の重要度をユーザが任意に指定する態様を述べたが、重要度を自動的に設定する態様も可能である。以下、本発明の他の実施形態として重要度を自動的に設定する例を説明する。
【００３７】
図４は、本発明の他の実施形態に係るデジタルカメラの要部構成を示すブロック図である。このカメラ６０は、主として、撮影レンズ１２、ＣＣＤ２０、映像信号処理手段６２、画像解析手段６４、記録手段６６、制御手段６８及びシャッターボタン１４から構成される。映像信号処理手段６２は、ＣＣＤ２０から出力される画像信号を処理して画像データを生成するブロックであり、図２で説明したアナログ信号処理部２４、Ａ／Ｄ変換器２６、デジタル信号処理部３０及びメモリ３４を含むブロックに相当する。図４の画像解析手段６４は、映像信号処理手段６２で得られた画像データを解析する画像処理部であり、図２中のデジタル信号処理部３０に含まれる。図４の記録手段６６は、撮影画像を重要度の情報（値）とともに記録する手段であり、図２で説明した圧縮処理部３６、カードインターフェース３８、メモリカード４０に相当する。もちろん、リムーバブルメディアに代えて、内部メモリを用いる態様も可能である。
【００３８】
図４に示したカメラ６０は、画像解析手段６４において記録画像を解析し、その画像が破綻しているか否かを評価する。そして、破綻している可能性の高い画像について自動的に重要度のランク付けを行い、そのランクに応じた重要度の値を設定する。
【００３９】
図５は、カメラ６０の制御手順を示すフローチャートである。図５中図３と共通する工程には同じステップ番号を付し、その説明を省略する。レリーズＯＮ（ステップＳ１１２）によって取り込まれた画像について、まずは初期的に重要度を示す値Ａ＝３を与える処理を行う（ステップＳ１２６）。
【００４０】
次いで、この画像について画像解析を行い、手ぶれ量が所定値（手ぶれ判断の基準となる所定の判定基準値）よりも大きいか否かを判定する（ステップＳ１３０）。手ぶれ量は、画像の輪郭を検出して、輪郭が一方向にずれているか否かを評価する。ステップＳ１３０において、ＹＥＳ判定を得た場合には、ステップＳ１３２に進み、重要度の値Ａから１を減算して、その減算結果を新たに重要度の値Ａとする。ステップＳ１３２の後、又はステップＳ１３０でＮＯ判定を得た場合には、ステップＳ１３４に進む。
【００４１】
ステップＳ１３４では、画像解析に基づき露光量が正常であるか否かの判定を行う。例えば、画面全体の輝度分布を検出し、輝度１００％の部分（輝度を示す階調値の最大値を示す部分、すなわち白飛び部分）や輝度０％に近い部分（輝度を示す階調値が小さく、黒と見なせる部分）が画面全体に対して所定の割合以上（例えば、３０％以上）の場合には、露光オーバー又アンダーであると判断する。
【００４２】
ステップＳ１３４において、露光量が正常でないと判定した場合は（ＮＯ判定時）、ステップＳ１３６に進み、重要度の値Ａから１を減算して、その減算結果を新たに重要度の値Ａとする。ステップＳ１３６の後、又はステップＳ１３４で露光量が正常であるとの判定を得た場合は、ステップＳ１４０に進む。ステップＳ１４０以降の処理については図３と同様である。
【００４３】
図５に示したように、画像解析によって撮影画像を評価し、破綻している可能性のある画像について、そのレベルに応じて重要度を自動的に決定するようにしたので、撮影に失敗したと思われる画像を優先的に消去対象として抽出できる。かかる態様によれば、図１で説明した重要度選択スイッチ１６を省略することも可能であるが、重要度選択スイッチ１６と併用する態様も好ましい。
【００４４】
例えば、重要度選択スイッチ１６で選択された重要度の値を基に、画像解析の結果を反映させて重要度の値を自動的に修正する。この場合、重要度選択スイッチ１６で「重要」が選択されて撮影が行われた画像については、撮影者の意図を重視して、重要度の値を修正しないという態様もある。
【００４５】
重要度を示す情報をカメラで自動設定する方法は、上述に限られない。ＧＰＳ（Global Positioning System ）を利用して撮影場所の情報を取得し、その位置情報から撮影場所が日常の生活圏内であるか否かを自動判別して、日常の生活圏以外で撮影された画像について高い重要度を与えてもよい。
【００４６】
重要度を示す情報の利用態様は、上述した消去対象画像の自動抽出による空き容量の確保に限定されない。重要度の情報を用いて重要度順に画像（コマ）を配列することも可能であり、記録後の画像ファイルの管理が容易になる。
【００４７】
デジタルカメラは、通常、撮影順にコマ番号（ファイル番号）が連番で自動付与されるが、本発明を適用したカメラ１０では、重要度の情報を用いて重要度順に並べ代えてコマ番号を自動変更することができる。なお、コマ番号はファイル名に利用され、例えば「コマ番号＝0001」のファイル名は、接頭文字列「DSCF」と拡張子「.JPG」が付加された「DSCF0001.JPG」というものになる。
【００４８】
図６はその制御手順を示すフローチャートである。図６中図３と共通する工程には同一の符号を付し、その説明は省略する。図６によれば、重要度選択スイッチ１６の設定に従って重要度の値を決定する処理（ステップＳ１１６、ステップＳ１１８、又はステップＳ１２０）を行った後に、ステップＳ１６０に進む。ステップＳ１６０では、選択されている重要度よりも低い画像についてコマ番号を＋１ずつシフトさせ、その先頭に新規画像を記録する。
【００４９】
この処理を図７を用いて説明すると、既にメモリカード４０内には重要度の値が「３（重要）」、「２（通常）」、「１（メモ）」の各画像が複数混在して記録されているものとする。このとき、新たに重要度「３」の画像が撮影されると、当該画像よりも重要度の低い画像、つまり重要度「２」以下の画像はコマ番号が＋１ずつシフトされる。コマ番号「ｘ」であった画像はコマ番号「ｘ＋１」に変更され、以降のコマ番号についても同様に＋１される。そして、コマ番号の＋１シフトによって空いた先頭のコマ番号（図７において「ｘ」）は、新規の記録画像に割り当てられる。
【００５０】
図６のステップＳ１６０で示したルールに従うことで、重要度順にコマ番号が定められる。これにより、パソコン等の外部機器に画像データを転送する際のファイル管理が容易になり、重要なデータから先に転送したり、重要な画像から優先的に閲覧するなどの対応が可能になる。また、図示しないが、図５で説明したステップＳ１３４又はステップＳ１３５の処理の後段において、ステップＳ１４０乃至ステップＳ１５２に代えて、図６のステップ１６０で示した工程を実施する態様も可能である。
【００５１】
更に、図３及び図５で説明した制御方法と、上記コマ番号の書き換え処理とを組み合わせる態様も可能である。この場合、図３及び図５のステップＳ１４２において、画像を記録する際に図６のステップＳ１６０で説明した処理を適用する。
【００５２】
上記説明では、重要度の値に応じてコマ番号を書き換える例を述べたが、重要度ランク毎にコマ番号の使用範囲を変えるように構成されていてもよい。例えば、「重要」画像についてはコマ番号「0001」〜「0999」を付与し、「通常」画像についてはコマ番号「1001」〜「1999」を付与し、「メモ」画像についてはコマ番号「2001」〜「2999」を付与することにより、コマ番号の先頭桁数で重要度を識別できる上、通常のアプリケーションソフトウエアを用いてファイルの並べ替えができるため、ファイル管理も容易である。また、重要度ランク別にフォルダを分けて記録してもよい。なお、上記説明では、静止画の記録を例に述べたが、本発明の適用範囲はこれに限定されず、動画ついても同様に適用できる。
【００５３】
次に、上述した実施形態の変形例を説明する。
【００５４】
〔変形例１〕  重要度選択スイッチ１６によるユーザの選択操作や、画像解析を利用した重要度の自動設定によって決定され、画像とともに記録された重要度の情報を編集する手段を付加する態様も好ましい。かかる編集手段を有するカメラによれば、画像の記録時に書き込まれた重要度の情報を記録後にユーザが自由に変更できる。
【００５５】
〔変形例２〕  図１で説明したように、本発明は液晶モニタ等の画像表示手段を具備しないカメラに適用することによって極めて有効な効果を奏することは上述の通りである。しかし、本発明の適用範囲はこれに限定されず、画像再生機能を有するカメラについても本発明を適用できる。
【００５６】
記録した画像を画像表示手段に再生する機能を有するカメラ（モニタ付きカメラ）の場合、消去してもよいと思われる画像について予め重要度を下げておくことで、咄嗟の撮影時にも対応でき、重要な画像を慌てて消去してしまうことを回避できる。また、重要度の情報を編集する手段を付加した態様によれば、撮影後に再生画像を見ながら画像の重要度を再検討して、重要度の情報を変更することが容易である。
【００５７】
〔変形例３〕  上述の実施形態では、重要度のランクを「重要」＞「通常」＞「メモ」の三段階に分けたが、分類形態はこれに限定されない。例えば、「仕事」＞「プライベート」＞「その他（メモ）」としてランク付けしてもよいし、撮影対象（撮影モード）によって「人物」＞「風景」＞「その他」というランク付けや、「旅行」＞「通常」＞「その他」というランク付けも可能である。重要度のランクを分ける階層数や、各ランクの呼び方は適宜変更が可能である。
【００５８】
【発明の効果】
以上説明したように本発明に係るデジタルカメラによれば、画像記録時に画像の重要度を示す情報を画像に関連付けて記録するようにしたので、この重要度の情報を利用して、重要度の低い画像を自動的に消去したり、重要度順に画像を配列するなどの制御が可能となる。
【００５９】
本発明の一態様によれば、重要度に応じて、既に記録された画像を消去し、重要度の高い新しい画像を書き込むことができるようにしたので、咄嗟の撮影にも対応できる。画像再生機能の無い安価なカメラについて本発明を適用することで、記録容量を有効に利用できる。
【００６０】
また、画像再生機能を有するカメラについて本発明を適用した場合、消去してもよい画像について予め重要度を下げておくことで、咄嗟の撮影時にも対応でき、重要な画像を慌てて消してしまうという事態を回避できる。
【図面の簡単な説明】
【図１】本発明の実施形態に係るデジタルカメラの斜視図
【図２】本実施形態に係るデジタルカメラの構成を示すブロック図
【図３】本実施形態に係るデジタルカメラの制御手順を示すフローチャート
【図４】本発明の他の実施形態に係るデジタルカメラの要部構成を示すブロック図
【図５】図４に示したデジタルカメラの制御手順を示すフローチャート
【図６】コマ番号の自動書き換え処理に関する制御手順を示すフローチャート
【図７】コマ番号の自動書き換え処理の内容を説明するために用いた説明図
【符号の説明】
１０，６０…カメラ、１２…撮影レンズ、１４…シャッターボタン、１６…重要度選択スイッチ、２０…ＣＣＤ、３８…カードインターフェース、４０…メモリカード、４２…制御部、６２…映像信号処理手段、６４…画像解析手段、６６…記録手段、６８…制御手段
【図１】
0004277309.tif 000002
【図２】
0004277309.tif 000003
【図３】
0004277309.tif 000004
【図４】
0004277309.tif 000005
【図５】
0004277309.tif 000006
【図６】
0004277309.tif 000007
【図７】
0004277309.tif 000008